【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
シートを積載するシート積載手段と、
凹凸状に形成され、互いに噛み合うよう配置された第１及び第２歯を備え、前記シート積載手段に積載されているシート束に、前記第１及び第２歯により所定の方向に延びる複数の凹凸を形成して綴じ処理を施す綴じ手段と、を有し、
前記綴じ手段は、前記第１及び第２歯により前記シート束の端の少なくとも一つを跨るように挟み込んで、該シート束に前記複数の凹凸を形成する第１の綴じモードと、前記第１及び第２歯がシート束のいずれの端も跨ないように前記シート束を挟み込んで前記複数の凹凸を形成する第２の綴じモードとを選択的に行うことを特徴とするシート処理装置。
【請求項２】
前記シート積載手段に積載されたシート束を移動させる移動手段を有し、
前記移動手段は、前記シート束に前記第１の綴じモード又は前記第２の綴じモードで綴じ動作が行われるように前記シート束を移動させる、
ことを特徴とする請求項１に記載のシート処理装置。
【請求項３】
前記綴じ装置を移動させる駆動手段を有し、
前記駆動手段は、前記シート束に前記第１の綴じモード又は前記第２の綴じモードで綴じ動作が行われるように前記綴じ手段を移動させる、
ことを特徴とする請求項１に記載のシート処理装置。
【請求項４】
前記シート積載手段にシートを排出するシート排出手段と、
前記シート排出手段により前記シート積載手段に排出されたシートの排出方向の一端が突き当てられる突き当て手段と、
シート排出方向と直交する幅方向に移動可能に設けられ、前記突き当て手段に突き当てられたシートの幅方向の位置を整合する整合手段と、
前記シート排出手段により連続して排出されたシートが、前記突き当て手段に突き当てられた状態で前記整合手段により順次整合されて形成されるシート束をシート排出方向に沿って移動させる移動手段と、を備え、
前記第１の綴じモードにより綴じ処理を行う場合は、シート束を前記第１及び第２歯が前記シート束の端を跨ぐ位置に移動させ、前記第２の綴じモードにより綴じ処理を行う場合は、前記第１及び第２歯が前記シートのいずれの端も跨がない位置に移動させるように前記整合手段の移動量及び前記移動手段の移動量が制御されることを特徴とする請求項１記載のシート処理装置。
【請求項５】
前記綴じ手段により、シート束の角部に綴じ処理を行うことを特徴とする請求項１乃至４のいずれか１項記載のシート処理装置。
【請求項６】
前記第１の綴じモードでは、前記シート束の端と、この端と隣り合う隣接端との両方を跨ぐようにして前記第１及び第２歯により前記シート束を挟み込んで前記複数の凹凸を形成することを特徴とする請求項１乃至５のいずれか１項に記載のシート処理装置。
【請求項７】
前記第１の綴じモードでは、前記シート束の１つの端を跨ぎ、且つ、この端と隣り合う隣接端およびこの端と対向する対向端は跨がないように前記複数の凹凸を形成することを特徴とする請求項１乃至５のいずれか１項に記載のシート処理装置。
【請求項８】
前記第１の綴じモードでは、前記シート束の端と、この端と対向する対向端との両方を跨ぐようにして前記第１及び第２歯により前記シート束を挟み込んで前記複数の凹凸を形成することを特徴とする請求項１乃至５のいずれか１項に記載のシート処理装置。
【請求項９】
綴じ処理されるシート束の枚数が所定枚数以上、綴じ処理されるシートの平滑度が所定の平滑度以上、綴じ処理されるシートの水分量が所定の水分量以下及び綴じ処理されるシート束の破断伸び係数が所定の破断伸び係数以下のうち、少なくとも１つの条件を満たしている場合には第１の綴じモードに切り換わることを特徴とする請求項１乃至８のいずれか１項に記載のシート処理装置。
【請求項１０】
シートを積載するシート積載手段と、
凹凸状の第１歯、前記第１歯と噛み合うように配置された凹凸状の第２歯を備え、前記第１及び第２歯によって前記シート積載手段上に形成されたシート束を挟み込んで綴じ処理を実行する綴じ手段と、
前記綴じ手段と前記シート積載手段上に形成されたシート束との相対位置関係を変更可能であって、前記綴じ処理を行う際の前記綴じ手段とシート束との相対位置を、前記第１及び第２歯が前記シート束の端と交差する位置に設定可能な位置決め手段と、を備える、
ことを特徴とするシート処理装置。
【請求項１１】
前記位置決め手段は、前記綴じ処理を行う際の前記綴じ手段とシート束との相対位置を、前記第１及び第２歯が前記シート束の端と交差する位置と、前記第１及び第２歯が前記シート束のいずれの端とも交差しない位置とに選択的に設定可能である、
ことを特徴とする請求項１０に記載のシート処理装置。
【請求項１２】
前記シート積載手段にシートを排出するシート排出手段を有し、
前記位置決め手段は、
シート排出方向と直交する幅方向に移動可能に設けられ、前記シート積載手段に積載されたシートを前記幅方向で整合する整合手段と、
前記シート積載手段に積載されたシート束を前記シート排出方向に移動可能な移動手段と、を有し、
前記整合手段および前記移動手段によって、前記綴じ処理を行う際の前記綴じ手段とシート束との相対位置を、前記第１及び第２歯が前記シート束の端と交差する位置となるようにすることを特徴とする請求項１０または１１に記載のシート処理装置。
【請求項１３】
綴じ処理されるシート束の枚数が所定枚数以上である、綴じ処理されるシートの平滑度が所定の平滑度以上である、綴じ処理されるシートの水分量が所定の水分量以下である及び綴じ処理されるシートの破断伸び係数が所定の破断伸び係数以下であるという複数の条件のうち、少なくとも１つの条件を満たしている場合に、前記綴じ処理を行う際の前記綴じ手段とシート束との相対位置を、前記第１及び第２綴じ歯が前記シート束の端と交差する位置となるようにする、
ことを特徴とする請求項１０乃至１２のいずれか１項に記載のシート処理装置。
【請求項１４】
画像形成部と、前記画像形成部により画像が形成されたシートを綴じ処理する請求項１乃至１３のいずれか１項に記載のシート処理装置と、を備えたことを特徴とする画像形成装置。
【請求項１５】
シートに画像を形成する画像形成部と、
前記画像形成部によって画像が形成されたシートが積載されるシート積載部と、
前記シート積載部に積載されたシートを綴じる綴じ手段と、を有し、
前記綴じ手段は、互いに離れた状態から近接した状態に変更されてシート束を挟むことによって厚さ方向においてシート束を変形させる第１及び第２歯を備え、
前記第１及び前記第２歯に挟まれることによって、シート束の端を含んで厚さ方向でシート束は変形されることを特徴とする画像形成装置。
【請求項１６】
前記綴じ手段と前記シート積載手段上に形成されたシート束との相対位置関係を変更可能であって、前記綴じ処理を行う際の前記綴じ手段とシート束との相対位置を、前記第１及び前記第２歯に挟まれることによってシート束の端が厚さ方向で変形されるように設定可能な位置決め手段を有することを特徴とする請求項１５に記載の画像形成装置。
【請求項１７】
前記綴じ手段は、シート束の角部を綴じ、
前記第１及び第２歯は、シート束を厚さ方向で変形させることでシート束に、シート束の端に対して傾斜した方向に並んだ複数の凸形状を形成し、
前記第１及び第２歯によって形成される前記複数の凸形状の少なくとも一つは、前記シート束の端を含んだ位置に形成されることを特徴とする請求項１５又は１６に記載の画像形成装置。
【請求項１８】
前記第１及び第２歯は、前記シート束の端と、この端と隣り合う隣接端とを含んで厚さ方向で変形させることを特徴とする請求項１５乃至１７のいずれか１項に記載の画像形成装置。
【請求項１９】
前記第１及び第２歯は、前記シート束の１つの端を厚さ方向で変形させ、この端と隣り合う隣接端は厚さ方向で変形させないことを特徴とする請求項１５乃至１７のいずれか１項に記載の画像形成装置。
【請求項２０】
前記シート処理装置は、前記綴じ手段により、シートに画像が形成されている領域外に綴じ処理を施すことを特徴とする請求項１４乃至１９のいずれか１項に記載の画像形成装置。
【手続補正２】
【補正対象書類名】明細書
【補正対象項目名】０００７
【補正方法】変更
【補正の内容】
【０００７】
本発明は、シート処理装置において、シートを積載するシート積載手段と、凹凸状に形成され、互いに噛み合うよう配置された第１及び第２歯を備え、前記シート積載手段に積載されているシート束に、前記第１及び第２歯により所定の方向に延びる複数の凹凸を形成して綴じ処理を施す綴じ手段と、を有し、前記綴じ手段は、前記第１及び第２歯により前記シート束の端の少なくとも一つを跨るように挟み込んで、該シート束に前記複数の凹凸を形成する第１の綴じモードと、前記第１及び第２歯がシート束のいずれの端も跨ないように前記シート束を挟み込んで前記複数の凹凸を形成する第２の綴じモードとを選択的に行うことを特徴とするものである。
また、本発明は、シート処理装置において、シートを積載するシート積載手段と、凹凸状の第１歯、前記第１歯と噛み合うように配置された凹凸状の第２歯を備え、前記第１及び第２歯によって前記シート積載手段上に形成されたシート束を挟み込んで綴じ処理を実行する綴じ手段と、前記綴じ手段と前記シート積載手段上に形成されたシート束との相対位置関係を変更可能であって、前記綴じ処理を行う際の前記綴じ手段とシート束との相対位置を、前記第１及び第２歯が前記シート束の端と交差する位置に設定可能な位置決め手段と、備えることを特徴とする。
更に、本発明は、画像形成装置において、シートに画像を形成する画像形成部と、前記画像形成部によって画像が形成されたシートが積載されるシート積載部と、前記シート積載部に積載されたシートを綴じる綴じ手段と、を有し、前記綴じ手段は、互いに離れた状態から近接した状態に変更されてシート束を挟むことによって厚さ方向においてシート束を変形させる第１及び第２歯を備え、前記第１及び前記第２歯に挟まれることによって、シート束の端を含んで厚さ方向でシート束は変形されることを特徴とする。